(57)【要約】【課題】ＣＱＩ報告周期を制御することにより、伝播環境の変動に追従したスケジューリング処理を行うとともに、無線資源を有効に利用し、移動機等の通信端末装置の処理負荷の軽減を図ること。【解決手段】スケジューラ部１０２は、受信したＣＱＩに基づいて下りデータのスケジューリングを行う。ドップラ周波数算出部１０３は、上り受信電力に基づいてドップラ周波数を測定する。ドップラ周波数比較部１０４は、ドップラ周波数とＣＱＩ報告周期とを関係付けたＣＱＩ報告周期選択情報を記憶しており、測定したドップラ周波数とＣＱＩ報告周期選択情報とを比較する。ＣＱＩ報告周期制御部１０５は、ドップラ周波数比較部１０４における比較結果に基づいてＣＱＩ報告周期を決定する。送信処理部１０７は、下りデータのスケジューリングに従ってＣＱＩ報告周期と共に下りデータを送信する。【選択図】図１
2008060824.tif 000002
【特許請求の範囲】
【請求項１】
受信信号よりドップラ周波数を算出するドップラ周波数算出手段と、
算出した前記ドップラ周波数に基づいて、通信相手における受信品質を前記通信相手から報告してもらう報告周期を決定する報告周期決定手段と、
決定した前記報告周期を前記通信相手に通知する通知手段と、
前記通信相手に通知した前記報告周期で前記通信相手から報告された前記受信品質に基づいて下りデータのスケジューリングを行うスケジューリング手段と、
を具備する基地局装置。
【請求項２】
任意の周期を設定可能な周期制御手段を具備し、
前記ドップラ周波数算出手段は、前記周期制御手段で設定した周期でドップラ周波数を算出する請求項１記載の基地局装置。
【請求項３】
通信相手で算出したドップラ周波数の情報であるドップラ周波数情報を受信する受信手段と、
受信した前記ドップラ周波数情報に基づいて、通信相手における受信品質を前記通信相手から報告してもらう報告周期を決定する報告周期決定手段と、
決定した前記報告周期を前記通信相手に通知する通知手段と、
前記通信相手に通知した前記報告周期で前記通信相手から報告された前記受信品質に基づいて下りデータのスケジューリングを行うスケジューリング手段と、
を具備する基地局装置。
【請求項４】
前記報告周期決定手段は、ドップラ周波数と報告周期とを関係付けた報告周期選択情報を記憶するとともに、前記ドップラ周波数算出手段で算出したドップラ周波数と前記報告周期選択情報とを比較することにより報告周期を決定する請求項１から請求項３のいずれかに記載の基地局装置。
【請求項５】
前記報告周期決定手段は、前記ドップラ周波数算出手段で算出したドップラ周波数が閾値を越える場合は、前記ドップラ周波数算出手段で算出したドップラ周波数が閾値を越えない場合に比べて前記報告周期を短くする請求項１から請求項３のいずれかに記載の基地局装置。
【請求項６】
下りデータのスケジューリングに従って前記下りデータのバッファリングを行うバッファリング手段と、
前記バッファリング手段での前記バッファリング量に基づいて、通信相手における受信品質を前記通信相手から報告してもらう報告周期を決定する報告周期決定手段と、
決定した前記報告周期を前記通信相手に通知する通知手段と、
前記通信相手に通知した前記報告周期で前記通信相手から報告された前記受信品質に基づいて前記下りデータのスケジューリングを行うスケジューリング手段と、
を具備する基地局装置。
【請求項７】
前記報告周期決定手段は、バッファリング量と報告周期とを関係付けた報告周期選択情報を記憶するとともに、前記バッファリング手段でのバッファリング量と前記報告周期選択情報とを比較することにより報告周期を決定する請求項６記載の基地局装置。
【請求項８】
受信信号よりドップラ周波数を算出するドップラ周波数算出手段と、
算出した前記ドップラ周波数に基づいて、自局の受信品質を通信相手に報告する報告周期を決定する報告周期決定手段と、
決定した前記報告周期で前記受信品質を前記通信相手に報告する報告手段と、
を具備する通信端末装置。
【請求項９】
受信信号よりドップラ周波数を算出するステップと、
算出した前記ドップラ周波数に基づいて通信端末装置における受信品質の前記通信端末装置から基地局装置への報告周期を決定するステップと、
決定した前記報告周期を前記基地局装置から前記通信端末装置に通知するステップと、
通知した前記報告周期で前記通信端末装置から前記基地局装置へ前記受信品質を報告するステップと、
を具備する受信品質の報告方法。
【請求項１０】
通信端末装置で算出したドップラ周波数の情報であるドップラ周波数情報を前記通信端末装置から基地局装置へ送信するステップと、
前記基地局装置が受信した前記ドップラ周波数情報に基づいて前記通信端末装置における受信品質の前記通信端末装置から前記基地局装置への報告周期を決定するステップと、
決定した前記報告周期を前記基地局装置から前記通信端末装置へ通知するステップと、
通知した前記報告周期で前記通信端末装置から前記基地局装置へ前記受信品質を報告するステップと、
を具備する受信品質の報告方法。
【請求項１１】
受信信号よりドップラ周波数を算出するステップと、
算出した前記ドップラ周波数に基づいて受信品質の報告周期を決定するステップと、
決定した前記報告周期で前記受信品質を報告するステップと、
を具備する受信品質の報告方法。
【請求項１２】
下りデータのバッファリングを行うステップと、
前記バッファリング量に基づいて、通信端末装置における受信品質を前記通信端末装置から基地局装置へ報告する報告周期を決定するステップと、
決定した前記報告周期を前記基地局装置から前記通信端末装置へ通知するステップと、
通知した前記報告周期で前記通信端末装置から前記基地局装置へ前記受信品質を報告するステップと、
を具備する受信品質の報告方法。
【発明の詳細な説明】
【技術分野】
【０００１】
本発明は、基地局装置、通信端末装置及び受信品質の報告方法に関し、特に無線回線品質を考慮して高速にスケジューリングを行う基地局装置、通信端末装置及び受信品質の報告方法に関する。
【背景技術】
【０００２】
従来、各移動機から送信された下りの受信品質を表すＣＱＩ(Channel Quality Indicator、詳細に関しては3GPP TS 25.214参照)に基づいて、下り送信データのスケジューリング処理を行う基地局が知られている（例えば、特許文献１）。ここで、スケジューリング処理とは、基地局が行う処理であるとともに、移動機への通信容量の割り当て、変調率の決定、及び符号化率の決定を行う処理である。
【０００３】
図１８及び図１９は、移動機がＣＱＩを送信するタイミングを示す図であり、横軸は時間である。移動機は、下りの受信品質を表すＣＱＩを算出し、図１８に示すように、予め設定された一定の周期であるＣＱＩ報告周期Ｓ１０で、ＣＱＩを基地局に送信する。また、移動機は、基地局から送信されたデータを正しく受信できたかどうかを表す応答情報であるＡＣＫ及びＮＡＣＫを基地局に送信する。この際に、移動機は、否定情報であるＮＡＣＫを送信する場合は、図１９に示すように、ＣＱＩ報告周期Ｓ１０ではない時刻ｔ１１でもＣＱＩを送信する。
【特許文献１】特開２００４−１３５２８７号公報
【発明の開示】
【発明が解決しようとする課題】
【０００４】
しかしながら、従来の装置においては、ドップラ周波数が高い環境では、伝播環境が急激に変化するので、ＣＱＩ報告周期が一定で且つ長い場合に、伝播環境の変動に追従したスケジューリング処理を行うことができないため、スループットが低下するという問題がある。一方、ドップラ周波数が低い環境では、伝播環境の変動が少ないため、ＣＱＩ報告周期が一定で且つ短い場合に、基地局ではＣＱＩを正しく復調できるにも関わらず、移動機が必要以上にＣＱＩを送信するために干渉になるとともに移動機の処理負荷が増大するという問題がある。
【０００５】
本発明はかかる点に鑑みてなされたものであり、ＣＱＩ報告周期を制御することにより、伝播環境の変動に追従したスケジューリング処理を行うことができるとともに、無線資源を有効に利用でき、移動機等の通信端末装置の処理負荷の軽減を図ることができる基地局装置、通信端末装置及び受信品質の報告方法を提供することを目的とする。
【課題を解決するための手段】
【０００６】
本発明の基地局装置は、受信信号よりドップラ周波数を算出するドップラ周波数算出手段と、算出した前記ドップラ周波数に基づいて、通信相手における受信品質を前記通信相手から報告してもらう報告周期を決定する報告周期決定手段と、決定した前記報告周期を前記通信相手に通知する通知手段と、前記通信相手に通知した前記報告周期で前記通信相手から報告された前記受信品質に基づいて下りデータのスケジューリングを行うスケジューリング手段と、を具備する構成を採る。
【０００７】
また、本発明の基地局装置は、通信相手で算出したドップラ周波数の情報であるドップラ周波数情報を受信する受信手段と、受信した前記ドップラ周波数情報に基づいて、通信相手における受信品質を前記通信相手から報告してもらう報告周期を決定する報告周期決定手段と、決定した前記報告周期を前記通信相手に通知する通知手段と、前記通信相手に通知した前記報告周期で前記通信相手から報告された前記受信品質に基づいて下りデータのスケジューリングを行うスケジューリング手段と、を具備する構成を採る。
【０００８】
さらに、本発明の基地局装置は、下りデータのスケジューリングに従って前記下りデータのバッファリングを行うバッファリング手段と、前記バッファリング手段での前記バッファリング量に基づいて、通信相手における受信品質を前記通信相手から報告してもらう報告周期を決定する報告周期決定手段と、決定した前記報告周期を前記通信相手に通知する通知手段と、前記通信相手に通知した前記報告周期で前記通信相手から報告された前記受信品質に基づいて前記下りデータのスケジューリングを行うスケジューリング手段と、を具備する構成を採る。
【０００９】
本発明の通信端末装置は、受信信号よりドップラ周波数を算出するドップラ周波数算出手段と、算出した前記ドップラ周波数に基づいて、自局の受信品質を通信相手に報告する報告周期を決定する報告周期決定手段と、決定した前記報告周期で前記受信品質を前記通信相手に報告する報告手段と、を具備する構成を採る。
【００１０】
本発明の受信品質の報告方法は、受信信号よりドップラ周波数を算出するステップと、算出した前記ドップラ周波数に基づいて通信端末装置における受信品質の前記通信端末装置から基地局装置への報告周期を決定するステップと、決定した前記報告周期を前記基地局装置から前記通信端末装置に通知するステップと、通知した前記報告周期で前記通信端末装置から前記基地局装置へ前記受信品質を報告するステップと、を具備するようにした。
【００１１】
また、本発明の受信品質の報告方法は、通信端末装置で算出したドップラ周波数の情報であるドップラ周波数情報を前記通信端末装置から基地局装置へ送信するステップと、前記基地局装置が受信した前記ドップラ周波数情報に基づいて前記通信端末装置における受信品質の前記通信端末装置から前記基地局装置への報告周期を決定するステップと、決定した前記報告周期を前記基地局装置から前記通信端末装置へ通知するステップと、通知した前記報告周期で前記通信端末装置から前記基地局装置へ前記受信品質を報告するステップと、を具備するようにした。
【００１２】
また、本発明の受信品質の報告方法は、受信信号よりドップラ周波数を算出するステップと、算出した前記ドップラ周波数に基づいて受信品質の報告周期を決定するステップと、決定した前記報告周期で前記受信品質を報告するステップと、を具備するようにした。
【００１３】
さらに、本発明の受信品質の報告方法は、下りデータのバッファリングを行うステップと、前記バッファリング量に基づいて、通信端末装置における受信品質を前記通信端末装置から基地局装置へ報告する報告周期を決定するステップと、決定した前記報告周期を前記基地局装置から前記通信端末装置へ通知するステップと、通知した前記報告周期で前記通信端末装置から前記基地局装置へ前記受信品質を報告するステップと、を具備するようにした。
【発明の効果】
【００１４】
本発明によれば、ＣＱＩ報告周期を制御することにより、伝播環境の変動に追従したスケジューリング処理を行うことができるとともに、無線資源を有効に利用でき、移動機等の通信端末装置の処理負荷の軽減を図ることができる。
【発明を実施するための最良の形態】
【００１５】
以下、本発明の実施の形態について、図面を参照して詳細に説明する。
【００１６】
（実施の形態１）
図１は、本発明の実施の形態１に係る基地局装置１００及び通信端末装置１２０の構成を示すブロック図である。
【００１７】
最初に、基地局装置１００の構成について説明する。
【００１８】
受信処理部１０１は、通信端末装置１２０から送信されたＣＱＩを含む上りデータを受信して、ＣＱＩ報告周期制御部１０５から入力したＣＱＩ報告周期制御情報に基づいて、受信信号に含まれるＣＱＩを復調する。そして、受信処理部１０１は、復調したＣＱＩをスケジューラ部１０２へ出力する。また、受信処理部１０１は、受信信号より、上り受信電力を測定し、測定した上り受信電力の測定結果をドップラ周波数算出部１０３へ出力する。
【００１９】
スケジューリング手段であるスケジューラ部１０２は、受信処理部１０１から入力したＣＱＩを用いて、通信端末装置１２０に対して、スケジューリング処理を行う。そして、スケジューラ部１０２は、スケジューリング処理の結果の情報、即ち通信端末装置１２０に対して、割り当てた通信容量、決定した変調率、及び決定した符号化率の情報をスケジューリング情報として下りデータバッファリング部１０６及び送信処理部１０７へ出力する。例えば、スケジューラ部１０２は、ＣＱＩと通信容量と変調率と符号化率とを関係付けたスケジューリング情報を記憶しており、受信処理部１０１から入力したＣＱＩを用いてスケジューリング情報を参照することにより通信容量と変調率と符号化率とを決定する。
【００２０】
ドップラ周波数算出部１０３は、受信処理部１０１から入力した上り受信電力の測定結果に基づいてドップラ周波数を測定する。具体的には、ドップラ周波数算出部１０３は、上り受信電力の変動量からドップラ周波数を測定する。そして、ドップラ周波数算出部１０３は、測定したドップラ周波数の測定結果をドップラ周波数比較部１０４へ出力する。
【００２１】
報告周期決定手段であるドップラ周波数比較部１０４は、ドップラ周波数とＣＱＩ報告周期とを関係付けたＣＱＩ報告周期選択情報を記憶している。そして、ドップラ周波数比較部１０４は、ドップラ周波数算出部１０３から入力したドップラ周波数の測定結果とＣＱＩ報告周期選択情報とを比較して、比較結果をＣＱＩ報告周期制御部１０５へ出力する。
【００２２】
報告周期決定手段であるＣＱＩ報告周期制御部１０５は、ドップラ周波数比較部１０４から入力した比較結果に基づいて、ＣＱＩ報告周期を決定する。そして、ＣＱＩ報告周期制御部１０５は、決定したＣＱＩ報告周期の情報であるＣＱＩ報告周期制御情報を受信処理部１０１及び送信処理部１０７へ出力する。
【００２３】
下りデータバッファリング部１０６は、スケジューラ部１０２から入力したスケジューリング情報に基づいて、下りデータに対してバッファリング処理を行うとともにバッファリングした下りデータを送信処理部１０７へ出力する。具体的には、下りデータバッファリング部１０６は、基地局装置１００が上位局から受信した下りデータ（HS-DSCH Data Frame；UEに対するデータ）に対して、スケジューラ部１０２が決定した通信容量の割り当てに応じてバッファリング処理を行う。そして、下りデータバッファリング部１０６は、スケジューラ部１０２が決定した通信容量の割り当てに応じて下りデータを送信処理部１０７へ出力する。
【００２４】
送信処理部１０７は、スケジューラ部１０２から入力したスケジューリング情報に基づいて下りデータを生成し、生成した下りデータを通信端末装置１２０に対して送信する。具体的には、送信処理部１０７は、スケジューラ部１０２が割り当てた通信容量で送信できるように、スケジューラ部１０２が決定した変調率で下りデータバッファリング部１０６から入力した下りデータを変調するとともに、スケジューラ部１０２が決定した符号化率で下りデータを符号化することにより下りデータを生成し、生成した下りデータを通信端末装置１２０に対して送信する。また、送信処理部１０７は、ＣＱＩ報告周期制御部１０５から入力したＣＱＩ報告周期制御情報を下りデータと共に通信端末装置１２０へ送信する。
【００２５】
次に、通信端末装置１２０の構成について説明する。
【００２６】
受信処理部１２１は、基地局装置１００から送信されたＣＱＩ報告周期制御情報を含む下りデータを受信してＣＱＩ報告周期制御情報の復調を行うとともに、復調したＣＱＩ報告周期制御情報に基づいて、受信した下りデータからＣＱＩを算出する。そして、受信処理部１２１は、算出したＣＱＩを送信処理部１２２へ出力する。
【００２７】
送信処理部１２２は、受信処理部１２１から入力したＣＱＩを含む上りデータを生成して、生成した上りデータを基地局装置１００へ送信する。
【００２８】
次に、基地局装置１００の動作について、図２を用いて説明する。図２は、基地局装置１００の動作を示すフロー図である。
【００２９】
ドップラ周波数比較部１０４は、ドップラ周波数算出部１０３がドップラ周波数の測定を完了したか否かを判定する（ステップＳＴ２０１）。
【００３０】
ドップラ周波数比較部１０４は、ドップラ周波数の測定を完了したと判定した場合に、ドップラ周波数の測定結果とＣＱＩ報告周期選択情報とを比較する（ステップＳＴ２０２）。図３は、ＣＱＩ報告周期選択情報の一例を示す図である。ＣＱＩ報告周期選択情報は、図３に示すように、ドップラ周波数とＣＱＩ報告周期とを関係付けたものであり、ドップラ周波数が大きいほどＣＱＩ報告周期が短くなるように関係付けられている。
【００３１】
次に、ＣＱＩ報告周期制御部１０５は、ドップラ周波数比較部１０４における比較結果に基づいて、ＣＱＩ報告周期を決定する（ステップＳＴ２０３）。具体的には、ＣＱＩ報告周期制御部１０５は、ドップラ周波数比較部１０４における比較結果より、ドップラ周波数算出部１０３におけるドップラ周波数の測定結果が含まれる範囲のドップラ周波数と関係付けられているＣＱＩ報告周期を決定する。
【００３２】
次に、送信処理部１０７は、決定したＣＱＩ報告周期の情報であるＣＱＩ報告周期制御情報を下りデータと共に送信する。
【００３３】
次にドップラ周波数比較部１０４での制御方法に関して、図４〜図７を用いて具体的に説明する。図４〜図７は、時間（横軸）と下り回線の受信品質であるＣＱＩ（縦軸）との関係を示す図である。また、図４及び図５はドップラ周波数が高い場合であり、図６及び図７はドップラ周波数が低い場合である。また、縦軸のＣＱＩは、上に向かうほど受信品質が良好である。
【００３４】
ドップラ周波数が高い場合は、伝播環境が急激に変化するので、ＣＱＩ報告周期を短くする。これにより、下り送信データに対するスケジューリング処理で、伝播環境の変動に追従したＣＱＩを用いることができ、よりスループットの向上が図れる通信容量の割り当て及び、変調率、符号化率の選択ができ、無線資源を有効に使用できる。
【００３５】
図４と図５とを比較すると、図４のＣＱＩ報告周期Ｓ４０１は、図５のＣＱＩ報告周期Ｓ５０１の２分の１であり、そのため、図４は、図５では報告しない時刻ｔ２、ｔ４、ｔ６、ｔ８でＣＱＩを報告する。その結果、時刻ｔ３において、図４の場合は、ＣＱＩの最大変動量（誤差）＃４０２であるのに対して、図５の場合は、ＣＱＩの最大変動量（誤差）＃５０２は、ＣＱＩ最大変動量（誤差）＃４０２よりも大きくなる。従って、図５よりもＣＱＩ報告周期の短い図４の場合、伝搬環境の変動に追従した、即ち誤差の少ないスケジューリング処理を行うことができる。なお、時刻ｔ５、ｔ７、ｔ９でも時刻ｔ３と同様である。
【００３６】
一方、ドップラ周波数が低い場合は、伝播環境が安定しているので、ＣＱＩ報告周期を長くする。これにより、移動機の処理を減らすことができる。また、基地局への干渉量も少なくなり、無線資源を有効に使用できる。さらに、ＣＱＩの変動が少ないため、通信容量の割り当て及び、変調率、符号化率の選択によるスループットの低下を少なくすることが可能である。また、他の移動機が多い場合でも、移動機毎に必要に応じて、ＣＱＩ報告周期を変えることが可能なので、移動機は基地局に、干渉量を増やすことなく、伝播環境の変動に追従したＣＱＩを送信することが可能である。
【００３７】
図６と図７とを比較すると、図７のＣＱＩ報告周期Ｓ７０１は、図６のＣＱＩ報告周期Ｓ６０１の２倍であり、そのため、図７は、図６と異なり、時刻ｔ２、ｔ４、ｔ６、ｔ８ではＣＱＩを報告しない。しかし、ＣＱＩ報告周期を２倍にしても、時刻ｔ３において、図６におけるＣＱＩの最大変動量（誤差）＃６０２と図７におけるＣＱＩの最大変動量（誤差）＃７０２とは殆ど同じである。従って、図６よりもＣＱＩ報告周期の長い図７の場合、干渉量を増やすことなく、伝播環境の変動に追従したＣＱＩを送信することが可能である。
【００３８】
また、基地局装置１００は、ＣＱＩ報告周期制御情報を通信端末装置１２０に通知する際に、ＴＳ２５．３２１記載のＨＳ−ＤＳＣＨ(Transport block)のＶＦ（拡張用）を用いて通知する。例えば、基地局装置１００は、ＣＱＩ報告周期を短くする場合は、ＶＦに１を入れる。それにより、新たなチャネルを用いずにＣＱＩ報告周期を変更することができ、伝播路の変動に追従したＣＱＩ報告周期の制御が可能である。
【００３９】
このように、本実施の形態１によれば、ドップラ周波数が高い場合はＣＱＩ報告周期を短くし、ドップラ周波数が低い場合はＣＱＩ報告周期を長くすることにより、伝播環境の変動に追従したスケジューリング処理を行うことができるとともに、無線資源を有効に利用でき、移動機等の通信端末装置の処理負荷の軽減を図ることができる。
【００４０】
（実施の形態２）
図８は、本発明の実施の形態２に係る基地局装置８００及び通信端末装置１２０の構成を示すブロック図である。
【００４１】
本実施の形態２に係る基地局装置８００は、図１に示す実施の形態１に係る基地局装置１００において、図８に示すように、ドップラ周波数比較部１０４を除き、ドップラ周波数閾値判定部８０１を追加し、ＣＱＩ報告周期制御部１０５の代わりにＣＱＩ報告周期制御部８０２を有する。なお、図８においては、図１と同一構成である部分には同一の符号を付してその説明は省略する。
【００４２】
受信処理部１０１は、通信端末装置１２０から送信されたＣＱＩを含む上りデータを受信して、ＣＱＩ報告周期制御部８０２から入力したＣＱＩ報告周期制御情報に基づいて、受信信号に含まれるＣＱＩを復調する。そして、受信処理部１０１は、復調したＣＱＩをスケジューラ部１０２へ出力する。また、受信処理部１０１は、受信信号より、上り受信電力を測定し、測定した上り受信電力の測定結果をドップラ周波数算出部１０３へ出力する。
【００４３】
ドップラ周波数算出部１０３は、受信処理部１０１から入力した上り受信電力の測定結果に基づいてドップラ周波数を測定する。具体的には、ドップラ周波数算出部１０３は、上り受信電力の変動量からドップラ周波数を測定する。そして、ドップラ周波数算出部１０３は、測定したドップラ周波数の測定結果をドップラ周波数閾値判定部８０１へ出力する。
【００４４】
報告周期決定手段であるドップラ周波数閾値判定部８０１は、ドップラ周波数算出部１０３から入力したドップラ周波数の測定結果と予め設定した閾値との比較を行う。そして、ドップラ周波数閾値判定部８０１は、比較結果をＣＱＩ報告周期制御部８０２へ出力する。
【００４５】
報告周期決定手段であるＣＱＩ報告周期制御部８０２は、ドップラ周波数閾値判定部８０１から入力した比較結果に基づいてＣＱＩ報告周期を決定する。そして、ＣＱＩ報告周期制御部８０２は、決定したＣＱＩ報告周期の情報であるＣＱＩ報告周期制御情報を受信処理部１０１及び送信処理部１０７へ出力する。
【００４６】
送信処理部１０７は、スケジューラ部１０２から入力したスケジューリング情報に基づいて下りデータを生成し、生成した下りデータを通信端末装置１２０に対して送信する。具体的には、送信処理部１０７は、スケジューラ部１０２が割り当てた通信容量で送信できるように、スケジューラ部１０２が決定した変調率で下りデータバッファリング部１０６から入力した下りデータを変調するとともに、スケジューラ部１０２が決定した符号化率で下りデータを符号化することにより下りデータを生成し、生成した下りデータを通信端末装置１２０に対して送信する。また、送信処理部１０７は、ＣＱＩ報告周期制御部８０２から入力したＣＱＩ報告周期制御情報を下りデータと共に通信端末装置１２０へ送信する。
【００４７】
次に、基地局装置８００の動作について、図９を用いて説明する。図９は、基地局装置８００の動作を示すフロー図である。
【００４８】
ドップラ周波数閾値判定部８０１は、ドップラ周波数算出部１０３がドップラ周波数の測定を完了したか否かを判定する（ステップＳＴ９０１）。
【００４９】
ドップラ周波数閾値判定部８０１は、ドップラ周波数の測定を完了したと判定した場合に、ドップラ周波数の測定結果と閾値とを比較する（ステップＳＴ９０２）。図１０は、閾値とＣＱＩ報告周期との関係の一例を示す図である。図１０において、ドップラ周波数が閾値Ｘ１、Ｘ２、Ｘ３（Ｘ１＜Ｘ２＜Ｘ３）の何れか一つの閾値を下回った場合には、ＣＱＩ報告周期を長くし、ドップラ周波数が閾値Ｙ２、Ｙ３、Ｙ４（Ｙ２＜Ｙ３＜Ｙ４）の何れか一つの閾値を越えた場合には、ＣＱＩ報告周期を短くする。なお、図１０において、ＣＱＩ報告周期はＴ０からＴ３に向けて順次短くなる。なお、図１０では、ＣＱＩ報告周期を長くする場合と短くする場合とで異なる閾値を用いたが、これに限らず、ＣＱＩ報告周期を長くする場合と短くする場合とで共通の閾値を用いても良い。
【００５０】
例えば、最新のドップラ周波数をｆＤとすると、現在のＣＱＩ報告周期がＴ１の場合、以下のように制御する。
if (fD<X1){CQI報告周期=T0} else if(fD>Y2)CQI報告周期=T2}else{CQI報告周期=T1}
【００５１】
次に、ＣＱＩ報告周期制御部８０２は、ドップラ周波数閾値判定部８０１から出力される比較結果に基づいてＣＱＩ報告周期を決定する（ステップＳＴ９０３）。
【００５２】
このように、本実施の形態２によれば、ドップラ周波数が高い場合はＣＱＩ報告周期を短くし、ドップラ周波数が低い場合はＣＱＩ報告周期を長くすることにより、伝播環境の変動に追従したスケジューリング処理を行うことができるとともに、無線資源を有効に利用でき、移動機等の通信端末装置の処理負荷の軽減を図ることができる。
【００５３】
（実施の形態３）
図１１は、本発明の実施の形態３に係る基地局装置１１００及び通信端末装置１２０の構成を示すブロック図である。
【００５４】
本実施の形態３に係る基地局装置１１００は、図１に示す実施の形態１に係る基地局装置１００において、図１１に示すように、周期制御部１１０１を追加し、ドップラ周波数算出部１０３の代わりにドップラ周波数算出部１１０２を有する。なお、図１１においては、図１と同一構成である部分には同一の符号を付してその説明は省略する。
【００５５】
周期制御部１１０１は、タイマーを用いて自走カウンタを更新し、自走カウンタが予め設定した周期と一致するか否かの判定を行う。そして、周期制御部１１０１は、自走カウンタが予め設定した周期と一致すると判定した場合に、ドップラ周波数算出部１１０２に対して、ドップラ周波数の測定を指示する。例えば、周期制御部１１０１は、基地局装置１１００の処理負荷が低い場合は短い周期を設定し、基地局装置１１００の処理負荷が高い場合は長い周期を設定する。
【００５６】
受信処理部１０１は、通信端末装置１２０から送信されたＣＱＩを含む上りデータを受信して、ＣＱＩ報告周期制御部１０５から入力したＣＱＩ報告周期制御情報に基づいて、受信信号に含まれるＣＱＩを復調する。そして、受信処理部１０１は、復調したＣＱＩをスケジューラ部１０２へ出力する。また、受信処理部１０１は、受信信号より、上り受信電力を測定し、測定した上り受信電力の測定結果をドップラ周波数算出部１１０２へ出力する。
【００５７】
ドップラ周波数算出部１１０２は、周期制御部１１０１からドップラ周波数を測定するように指示された場合のみドップラ周波数の測定を行う。そして、受信処理部１０１から入力した上り受信電力の測定結果に基づいてドップラ周波数を測定する。具体的には、ドップラ周波数算出部１１０２は、上り受信電力の変動量からドップラ周波数を測定する。そして、ドップラ周波数算出部１１０２は、測定したドップラ周波数の測定結果をドップラ周波数比較部１０４へ出力する。また、ドップラ周波数算出部１１０２は、周期制御部１１０１からドップラ周波数を測定するように指示されない場合には、ドップラ周波数を測定しない。
【００５８】
ドップラ周波数比較部１０４は、ドップラ周波数とＣＱＩ報告周期とを関係付けたＣＱＩ報告周期選択情報を記憶している。そして、ドップラ周波数比較部１０４は、ドップラ周波数算出部１１０２から入力したドップラ周波数の測定結果とＣＱＩ報告周期選択情報とを比較して、比較結果をＣＱＩ報告周期制御部１０５へ出力する。
【００５９】
次に、基地局装置１１００の動作について、図１２を用いて説明する。図１２は、基地局装置１１００の動作を示すフロー図である。なお、図１２においては、図２と同一の動作である部分には同一の符号を付してその説明は省略する。
【００６０】
まず、周期制御部１１０１は、タイマーを用いて自走カウンタを更新する（ステップＳＴ１２０１）。
【００６１】
次に、周期制御部１１０１は、自走カウンタが予め設定した周期と一致するか否かを判定する（ステップＳＴ１２０２）。例えば、周期制御部１１０１は、基地局装置１１００の処理負荷が低い場合は短い周期を設定し、基地局装置１１００の処理負荷が高い場合は長い周期を設定する。
【００６２】
次に、周期制御部１１０１は、自走カウンタが予め設定した周期と一致する場合に、ドップラ周波数算出部１１０２に対して、ドップラ周波数の測定を指示する（ステップＳＴ１２０３）。一方、周期制御部１１０１は、自走カウンタが予め設定した周期と一致しない場合に、ドップラ周波数算出部１１０２に対して、ドップラ周波数の測定を指示しない（ステップＳＴ１２０４）。
【００６３】
次に、ドップラ周波数算出部１１０２は、周期制御部１１０１からドップラ周波数を測定するように指示されたか否かを判定する（ステップＳＴ１２０５）。
【００６４】
次に、ドップラ周波数算出部１１０２は、周期制御部１１０１からドップラ周波数を測定するように指示された場合に、ドップラ周波数の測定を開始する。
【００６５】
一方、ドップラ周波数算出部１１０２は、周期制御部１１０１からドップラ周波数を測定するように指示されない場合には、ドップラ周波数の測定を行わない。
【００６６】
このように、本実施の形態３によれば、上記実施の形態１の効果に加えて、周期制御部１１０１で設定する周期に応じてＣＱＩ報告周期を変更することができる。また、本実施の形態３によれば、周期制御部１１０１が基地局装置の処理負荷に応じた周期を設定した場合には、基地局装置の処理負荷を軽減することができる。
【００６７】
なお、本実施の形態３において、ドップラ周波数比較部１０４を設けてドップラ周波数の測定結果とＣＱＩ報告周期選択情報とを比較するようにしたが、これに限らず、ドップラ周波数比較部１０４に代えてドップラ周波数閾値判定部８０１を設けて、ドップラ周波数の測定結果と閾値とを比較しても良い。
【００６８】
（実施の形態４）
図１３は、本発明の実施の形態４に係る基地局装置１３００及び通信端末装置１３２０の構成を示すブロック図である。
【００６９】
本実施の形態４に係る基地局装置１３００は、図１に示す実施の形態１に係る基地局装置１００において、図１３に示すように、ドップラ周波数算出部１０３を除き、受信処理部１０１の代わりに受信処理部１３０１を有する。通信端末装置１３２０は、通信端末装置１２０において、ドップラ周波数算出部１３２２を追加し、受信処理部１２１の代わりに受信処理部１３２１を有するとともに、送信処理部１２２の代わりに送信処理部１３２３を有する。なお、図１３においては、図１と同一構成である部分には同一の符号を付してその説明は省略する。
【００７０】
最初に、基地局装置１３００の構成について説明する。
【００７１】
受信処理部１３０１は、通信端末装置１３２０から送信された、ＣＱＩとドップラ周波数の測定結果の情報であるドップラ周波数情報とを含む上りデータを受信して、ＣＱＩ報告周期制御部１０５から入力したＣＱＩ報告周期制御情報に基づいて受信信号に含まれるＣＱＩを復調するとともに、受信信号に含まれるドップラ周波数情報を復調する。そして、受信処理部１３０１は、復調したＣＱＩをスケジューラ部１０２へ出力するとともに、復調したドップラ周波数情報をドップラ周波数比較部１０４へ出力する。
【００７２】
ドップラ周波数比較部１０４は、ドップラ周波数とＣＱＩ報告周期とを関係付けたＣＱＩ報告周期選択情報を記憶している。そして、ドップラ周波数比較部１０４は、受信処理部１３０１から入力したドップラ周波数情報のドップラ周波数の測定結果とＣＱＩ報告周期選択情報とを比較して、比較結果をＣＱＩ報告周期制御部１０５へ出力する。
【００７３】
次に、通信端末装置１３２０の構成について説明する。
【００７４】
受信処理部１３２１は、基地局装置１３００から送信された下りデータを受信して、受信した下りデータの下り受信電力の測定を行う。そして、受信処理部１３２１は、測定した下り受信電力の測定結果をドップラ周波数算出部１３２２へ出力する。また、受信処理部１３２１は、基地局装置１３００から送信されたＣＱＩ報告周期制御情報を含む下りデータを受信してＣＱＩ報告周期制御情報の復調を行い、復調したＣＱＩ報告周期制御情報に基づいて下りデータからＣＱＩを算出する。そして、受信処理部１３２１は、算出したＣＱＩを送信処理部１３２３へ出力する。
【００７５】
ドップラ周波数算出部１３２２は、受信処理部１３２１から入力した下り受信電力の測定結果に基づいてドップラ周波数を測定する。具体的には、ドップラ周波数算出部１３２２は、下り受信電力の変動量からドップラ周波数を測定する。そして、ドップラ周波数算出部１３２２は、測定したドップラ周波数の測定結果の情報であるドップラ周波数情報を送信処理部１３２３へ出力する。
【００７６】
送信処理部１３２３は、受信処理部１３２１から入力したＣＱＩとドップラ周波数算出部１３２２から入力したドップラ周波数情報とを含む上りデータを生成して、生成した上りデータを基地局装置１３００へ送信する。なお、基地局装置１３００の動作は、受信したドップラ周波数情報を用いてＣＱＩ報告周期を決定する以外は図２と同一であるので、その説明は省略する。
【００７７】
このように、本実施の形態４によれば、ドップラ周波数が高い場合はＣＱＩ報告周期を短くし、ドップラ周波数が低い場合はＣＱＩ報告周期を長くすることにより、伝播環境の変動に追従したスケジューリング処理を行うことができるとともに、無線資源を有効に利用でき、移動機等の通信端末装置の処理負荷の軽減を図ることができる。
【００７８】
なお、本実施の形態４において、ドップラ周波数比較部１０４を設けてドップラ周波数の測定結果とＣＱＩ報告周期選択情報とを比較するようにしたが、これに限らず、ドップラ周波数比較部１０４に代えてドップラ周波数閾値判定部８０１を設けて、ドップラ周波数の測定結果と閾値とを比較しても良い。
【００７９】
（実施の形態５）
図１４は、本発明の実施の形態５に係る基地局装置１４００及び通信端末装置１４２０の構成を示すブロック図である。
【００８０】
本実施の形態５に係る基地局装置１４００は、図１に示す実施の形態１に係る基地局装置１００において、図１４に示すように、ドップラ周波数算出部１０３と、ドップラ周波数比較部１０４と、ＣＱＩ報告周期制御部１０５を除き、受信処理部１０１の代わりに受信処理部１４０１を有するとともに、送信処理部１０７の代わりに送信処理部１４０２を有する。通信端末装置１４２０は、通信端末装置１２０において、ドップラ周波数算出部１４２２と、ドップラ周波数比較部１４２３と、ＣＱＩ報告周期制御部１４２４を追加し、受信処理部１２１の代わりに受信処理部１４２１を有するとともに、送信処理部１２２の代わりに送信処理部１４２５を有する。なお、図１４においては、図１と同一構成である部分には同一の符号を付してその説明は省略する。
【００８１】
最初に、基地局装置１４００の構成について説明する。
【００８２】
受信処理部１４０１は、通信端末装置１４２０から送信された、ＣＱＩとＣＱＩ報告周期制御情報とを含む上りデータを受信してＣＱＩ報告周期制御情報を復調するとともに、復調したＣＱＩ報告周期制御情報に基づいて、受信信号に含まれるＣＱＩを復調する。そして、受信処理部１４０１は、復調したＣＱＩをスケジューラ部１０２へ出力する。
【００８３】
スケジューラ部１０２は、受信処理部１４０１から入力したＣＱＩを用いて、通信端末装置１４２０に対して、スケジューリング処理を行う。そして、スケジューラ部１０２は、スケジューリング処理の結果の情報、即ち通信端末装置１４２０に対して、割り当てた通信容量、決定した変調率、及び決定した符号化率の情報をスケジューリング情報として下りデータバッファリング部１０６及び送信処理部１４０２へ出力する。例えば、スケジューラ部１０２は、ＣＱＩと通信容量と変調率と符号化率とを関係付けたスケジューリング情報を記憶しており、受信処理部１４０１から入力したＣＱＩを用いてスケジューリング情報を参照することにより通信容量と変調率と符号化率とを決定する。
【００８４】
下りデータバッファリング部１０６は、スケジューラ部１０２から入力したスケジューリング情報に基づいて、下りデータに対してバッファリング処理を行うとともにバッファリングした下りデータを送信処理部１４０２へ出力する。具体的には、下りデータバッファリング部１０６は、基地局装置１４００が上位局から受信した下りデータ（HS-DSCH Data Frame；UEに対するデータ）に対して、スケジューラ部１０２が決定した通信容量の割り当てに応じてバッファリング処理を行う。そして、下りデータバッファリング部１０６は、スケジューラ部１０２が決定した通信容量の割り当てに応じて下りデータを送信処理部１４０２へ出力する。
【００８５】
送信処理部１４０２は、スケジューラ部１０２から入力したスケジューリング情報に基づいて下りデータを生成し、生成した下りデータを通信端末装置１４２０に対して送信する。具体的には、送信処理部１４０２は、スケジューラ部１０２が割り当てた通信容量で送信できるように、スケジューラ部１０２が決定した変調率で下りデータバッファリング部１０６から入力した下りデータを変調するとともに、スケジューラ部１０２が決定した符号化率で下りデータを符号化することにより下りデータを生成し、生成した下りデータを通信端末装置１４２０に対して送信する。
【００８６】
次に、通信端末装置１４２０の構成について説明する。
【００８７】
受信処理部１４２１は、基地局装置１４００から送信された下りデータを受信して、受信した下りデータの下り受信電力の測定を行う。そして、受信処理部１４２１は、測定した下り受信電力の測定結果をドップラ周波数算出部１４２２へ出力する。また、受信処理部１４２１は、ＣＱＩ報告周期制御部１４２４から入力したＣＱＩ報告周期制御情報に基づいて、受信した下りデータからＣＱＩを算出する。そして、受信処理部１４２１は、算出したＣＱＩを送信処理部１４２５へ出力する。
【００８８】
ドップラ周波数算出部１４２２は、受信処理部１４２１から入力した下り受信電力の測定結果に基づいてドップラ周波数を測定する。具体的には、ドップラ周波数算出部１４２２は、下り受信電力の変動量からドップラ周波数を測定する。そして、ドップラ周波数算出部１４２２は、測定したドップラ周波数の測定結果をドップラ周波数比較部１４２３へ出力する。
【００８９】
報告周期決定手段であるドップラ周波数比較部１４２３は、ドップラ周波数とＣＱＩ報告周期とを関係付けたＣＱＩ報告周期選択情報を記憶している。そして、ドップラ周波数比較部１４２３は、ドップラ周波数算出部１４２２から入力したドップラ周波数の測定結果とＣＱＩ報告周期選択情報とを比較して、比較結果をＣＱＩ報告周期制御部１４２４へ出力する。
【００９０】
報告周期決定手段であるＣＱＩ報告周期制御部１４２４は、ドップラ周波数比較部１４２３から入力した比較結果に基づいて、ＣＱＩ報告周期を決定する。そして、ＣＱＩ報告周期制御部１４２４は、決定したＣＱＩ報告周期の情報であるＣＱＩ報告周期制御情報を受信処理部１４２１及び送信処理部１４２５へ出力する。
【００９１】
送信処理部１４２５は、受信処理部１４２１から入力したＣＱＩとＣＱＩ報告周期制御部１４２４から入力したＣＱＩ報告周期制御情報とを含む上りデータを生成して、生成した上りデータを基地局装置１４００へ送信する。また、送信処理部１４２５は、ＣＱＩ報告周期制御情報を基地局装置１４００に通知する際には、上りの新たなチャネルを用いる。なお、本実施の形態５において、通信端末装置１４２０がＣＱＩ報告周期を決定する以外の動作は図２と同一であるため、通信端末装置１４２０の動作の説明は省略する。
【００９２】
このように、本実施の形態５によれば、ドップラ周波数が高い場合はＣＱＩ報告周期を短くし、ドップラ周波数が低い場合はＣＱＩ報告周期を長くすることにより、伝播環境の変動に追従したスケジューリング処理を行うことができるとともに、無線資源を有効に利用でき、移動機等の通信端末装置の処理負荷の軽減を図ることができる。また、本実施の形態５によれば、通信端末装置は、自らドップラ周波数を測定するとともに測定したドップラ周波数を用いてＣＱＩ報告周期を変えるので、基地局装置からＣＱＩ報告周期を通知される場合に比べて、少ない遅延でＣＱＩ報告周期を変更することができる。
【００９３】
なお、本実施の形態５において、ドップラ周波数比較部１４２３を設けてドップラ周波数の測定結果とＣＱＩ報告周期選択情報とを比較するようにしたが、これに限らず、ドップラ周波数比較部１４２３に代えてドップラ周波数閾値判定部８０１を設けて、ドップラ周波数の測定結果と閾値とを比較しても良い。
【００９４】
（実施の形態６）
図１５は、本発明の実施の形態６に係る基地局装置１５００及び通信端末装置１２０の構成を示すブロック図である。
【００９５】
本実施の形態６に係る基地局装置１５００は、図１に示す実施の形態１に係る基地局装置１００において、図１５に示すように、ドップラ周波数算出部１０３及びドップラ周波数比較部１０４を除き、バッファリング情報比較部１５０３を追加し、受信処理部１０１の代わりに受信処理部１５０１を有し、ＣＱＩ報告周期制御部１０５の代わりにＣＱＩ報告周期制御部１５０４を有するとともに、下りデータバッファリング部１０６の代わりに下りデータバッファリング部１５０２を有する。なお、図１５においては、図１と同一構成である部分には同一の符号を付してその説明は省略する。
【００９６】
受信処理部１５０１は、通信端末装置１２０から送信されたＣＱＩを含む上りデータを受信して、ＣＱＩ報告周期制御部１５０４から入力したＣＱＩ報告周期制御情報に基づいて、受信信号に含まれるＣＱＩを復調する。そして、受信処理部１５０１は、復調したＣＱＩをスケジューラ部１０２へ出力する。
【００９７】
スケジューラ部１０２は、受信処理部１５０１から入力したＣＱＩを用いて、通信端末装置１２０に対して、スケジューリング処理を行う。そして、スケジューラ部１０２は、スケジューリング処理の結果の情報、即ち通信端末装置１２０に対して、割り当てた通信容量、決定した変調率、及び決定した符号化率の情報をスケジューリング情報として下りデータバッファリング部１５０２及び送信処理部１０７へ出力する。例えば、スケジューラ部１０２は、ＣＱＩと通信容量と変調率と符号化率とを関係付けたスケジューリング情報を記憶しており、受信処理部１５０１から入力したＣＱＩを用いてスケジューリング情報を参照することにより通信容量と変調率と符号化率とを決定する。
【００９８】
バッファリング手段である下りデータバッファリング部１５０２は、スケジューラ部１０２から入力したスケジューリング情報に基づいて、下りデータに対してバッファリング処理を行うとともにバッファリングした下りデータを送信処理部１０７へ出力する。具体的には、下りデータバッファリング部１５０２は、基地局装置１５００が上位局から受信した下りデータ（HS-DSCH Data Frame；UEに対するデータ）に対して、スケジューラ部１０２が決定した通信容量の割り当てに応じてバッファリング処理を行う。そして、下りデータバッファリング部１５０２は、スケジューラ部１０２が決定した通信容量の割り当てに応じて下りデータを送信処理部１０７へ出力する。また、下りデータバッファリング部１５０２は、バッファリング処理の情報であるバッファリング情報をバッファリング情報比較部１５０３へ出力する。
【００９９】
報告周期決定手段であるバッファリング情報比較部１５０３は、下りデータのバッファリング量とＣＱＩ報告周期とを関係付けたＣＱＩ報告周期選択情報を記憶している。そして、バッファリング情報比較部１５０３は、下りデータバッファリング部１５０２から入力したバッファリング情報のバッファリング量とＣＱＩ報告周期選択情報との比較を行い、比較結果をＣＱＩ報告周期制御部１５０４へ出力する。
【０１００】
報告周期決定手段であるＣＱＩ報告周期制御部１５０４は、バッファリング情報比較部１５０３から入力した比較結果に基づいて、ＣＱＩ報告周期を決定する。そして、ＣＱＩ報告周期制御部１５０４は、決定したＣＱＩ報告周期の情報であるＣＱＩ報告周期制御情報を受信処理部１５０１及び送信処理部１０７へ出力する。
【０１０１】
送信処理部１０７は、スケジューラ部１０２から入力したスケジューリング情報に基づいて下りデータを生成し、生成した下りデータを通信端末装置１２０に対して送信する。具体的には、送信処理部１０７は、スケジューラ部１０２が割り当てた通信容量で送信できるように、スケジューラ部１０２が決定した変調率で下りデータバッファリング部１５０２から入力した下りデータを変調するとともに、スケジューラ部１０２が決定した符号化率で下りデータを符号化することにより下りデータを生成し、生成した下りデータを通信端末装置１２０に対して送信する。また、送信処理部１０７は、ＣＱＩ報告周期制御部１５０４から入力したＣＱＩ報告周期制御情報を下りデータと共に通信端末装置１２０へ送信する。
【０１０２】
次に、基地局装置１５００の動作について、図１６を用いて説明する。図１６は、基地局装置１５００の動作を示すフロー図である。
【０１０３】
バッファリング情報比較部１５０３は、バッファリング情報を取得したか否かを判定する（ステップＳＴ１６０１）。
【０１０４】
バッファリング情報比較部１５０３は、バッファリング情報を取得したと判定した場合に、バッファリング情報のバッファリング量とＣＱＩ報告周期選択情報とを比較する（ステップＳＴ１６０２）。図１７は、ＣＱＩ報告周期選択情報の一例を示す図である。ＣＱＩ報告周期選択情報は、図１７に示すように、下りデータのバッファリング量とＣＱＩ報告周期とを関係付けたものであり、下りデータのバッファリング量が大きいほどＣＱＩ報告周期が短くなるように関係付けられている。
【０１０５】
次に、ＣＱＩ報告周期制御部１５０４は、バッファリング情報比較部１５０３における比較結果に基づいて、ＣＱＩ報告周期を決定する（ステップＳＴ１６０３）。
【０１０６】
次に、送信処理部１０７は、決定したＣＱＩ報告周期の情報であるＣＱＩ報告周期制御情報を下りデータと共に送信する。
【０１０７】
このように、本実施の形態６によれば、下りデータのバッファリング量が大きい場合にはＣＱＩ報告周期を短くし、下りデータのバッファリング量が小さい場合にはＣＱＩ報告周期を長くするので、伝播環境の変動に追従したスケジューリング処理を行うことができるとともに、無線資源を有効に利用でき、移動機等の通信端末装置の処理負荷の軽減を図ることができる。例えば、基地局装置が上位局から受信するデータ(HS-DSCH Data Frame：UEに対するデータ)がない場合は、下りデータに対するスケジューリング処理を行わないので、ＣＱＩの更新が不要になり、ＣＱＩ報告周期を長くするか、またはＣＱＩの送信を止めるようなＣＱＩ報告周期を決定することができる。これにより、通信端末装置が必要以上にＣＱＩを送信しなくなり、干渉量を低減することができるとともに通信端末装置の処理負荷を低減することができる。
【０１０８】
なお、上記実施の形態１〜実施の形態６において、受信品質を示す情報としてＣＱＩを用いたが、これに限らず、ＭＣＳ等の任意の受信品質を示す情報を用いることができる。
【産業上の利用可能性】
【０１０９】
本発明にかかる基地局装置、通信端末装置及び受信品質の報告方法は、特に無線回線品質を考慮して高速にスケジューリングを行うのに好適である。
【図面の簡単な説明】
【０１１０】
【図１】本発明の実施の形態１に係る基地局装置及び通信端末装置の構成を示すブロック図
【図２】本発明の実施の形態１に係る基地局装置の動作を示すフロー図
【図３】本発明の実施の形態１に係るＣＱＩ報告周期選択情報を示す図
【図４】本発明の実施の形態１に係る時間とＣＱＩとの関係を示す図
【図５】本発明の実施の形態１に係る時間とＣＱＩとの関係を示す図
【図６】本発明の実施の形態１に係る時間とＣＱＩとの関係を示す図
【図７】本発明の実施の形態１に係る時間とＣＱＩとの関係を示す図
【図８】本発明の実施の形態２に係る基地局装置及び通信端末装置の構成を示すブロック図
【図９】本発明の実施の形態２に係る基地局装置の動作を示すフロー図
【図１０】本発明の実施の形態２に係る閾値とＣＱＩ報告周期との関係を示す図
【図１１】本発明の実施の形態３に係る基地局装置及び通信端末装置の構成を示すブロック図
【図１２】本発明の実施の形態３に係る基地局装置の動作を示すフロー図
【図１３】本発明の実施の形態４に係る基地局装置及び通信端末装置の構成を示すブロック図
【図１４】本発明の実施の形態５に係る基地局装置及び通信端末装置の構成を示すブロック図
【図１５】本発明の実施の形態６に係る基地局装置及び通信端末装置の構成を示すブロック図
【図１６】本発明の実施の形態６に係る基地局装置の動作を示すフロー図
【図１７】本発明の実施の形態６に係るＣＱＩ報告周期選択情報を示す図
【図１８】従来の移動機がＣＱＩを送信するタイミングを示す図
【図１９】従来の移動機がＣＱＩを送信するタイミングを示す図
【符号の説明】
【０１１１】
１００  基地局装置
１０１  受信処理部
１０２  スケジューラ部
１０３  ドップラ周波数算出部
１０４  ドップラ周波数比較部
１０５  ＣＱＩ報告周期制御部
１０６  下りデータバッファリング部
１０７  送信処理部
１２０  通信端末装置
１２１  受信処理部
１２２  送信処理部
【図１】
2008060824.tif 000003
【図２】
2008060824.tif 000004
【図３】
2008060824.tif 000005
【図４】
2008060824.tif 000006
【図５】
2008060824.tif 000007
【図６】
2008060824.tif 000008
【図７】
2008060824.tif 000009
【図８】
2008060824.tif 000010
【図９】
2008060824.tif 000011
【図１０】
2008060824.tif 000012
【図１１】
2008060824.tif 000013
【図１２】
2008060824.tif 000014
【図１３】
2008060824.tif 000015
【図１４】
2008060824.tif 000016
【図１５】
2008060824.tif 000017
【図１６】
2008060824.tif 000018
【図１７】
2008060824.tif 000019
【図１８】
2008060824.tif 000020
【図１９】
2008060824.tif 000021